(57)【要約】  【課題】、カッターナイフを一定の力で固定しておき、定規をずらすという作業を行ったりするのであるが、定規をずらす際に、先ほどのカッターナイフのカッター刃のがたつきで同じ位置に刃先を固定することができずに切断線がずれたりするという課題があった。  【解決手段】カッターナイフのカッター刃を保持する第１保持部と、カッターナイフのホルダーを保持する第２保持部とを有し、上記第２保持部は、カッターナイフのホルダーに対して位置をスライド可能であって、位置固定のための固定手段を有することを特徴とするカッターナイフ用アタッチメントを提供する。また、カッターナイフ用アタッチメント付カッターナイフを提供する。【選択図】    図２
2019097626.tif 000002
【特許請求の範囲】
【請求項１】
カッターナイフのカッター刃を保持する第１保持部と、
カッターナイフのホルダーを保持する第２保持部とを有し、
上記第２保持部は、カッターナイフのホルダーに対して位置をスライド可能であって、位置固定のための固定手段を有することを特徴とするカッターナイフ用アタッチメント。
【請求項２】
上記第１保持部は、カッター刃保持部とカッター刃突出部から構成され、上記カッター刃突出部はカッター刃の両側に位置し、かつ先端が円弧状であることを特徴とする請求項１記載のカッターナイフ用アタッチメント。
【請求項３】
カッター刃の両側に位置するカッター突出部の厚みが所定の厚みに設定されていることを特徴とする請求項２記載のカッターナイフ用アタッチメント。
【請求項４】
カッターナイフのカッター刃を保持する第１保持部と、
カッターナイフのホルダーを保持する第２保持部とを有し、
上記第２保持部は、カッターナイフのホルダーに対して位置をスライド可能であって、位置固定のための固定手段を有するカッターナイフ用アタッチメントを具備することを特徴とするカッターナイフ用アタッチメント付カッターナイフ。
【発明の詳細な説明】
【技術分野】
【０００１】
本発明は、内装の施工時に使用する工具に関するものである。さらに詳しくは、内装施工を行う際に使用するカッターナイフの先端に取り付けるアタッチメント、上記アタッチメントを具備するカッターナイフに関するものである。
【背景技術】
【０００２】
従来より内装施工においては種々の工具が使用されている。内装施工のうちの壁紙施工においては、壁紙の端部の仕上方法として重ね切り工法がよく用いられている。定規とカッターナイフを使用し、壁紙と壁紙のジョイント部分の切断を行い、壁紙同士の継ぎ目が見えないように仕上げている。定規とカッターナイフを使用して切断するということに関しては種々の提案が従来からなされている。
【０００３】
特許文献１として、ホルダとそれに支持した刃体とを備えたカッターにおいて、ホルダにシート状物の切断用載置板部を設けるとともに、この載置板部上にはその上に載せたシート状物の側縁が当てがわれるガイド部を設け、この載置板部上に前記刃体の刃先の尖端を突出させるようにしたことを特徴とするシート状物切断用カッターが知られている。
【０００４】
そしてまた、特許文献１においては、図３に示す第二実施例は前記第一実施例と比較してアタッチメントを変更し、ペーパーカッターとしての機能をも持たせている。即ち、第一実施例におけるアタッチメントにペーパーカッターとしての機能を持たせるために、取付部の前端部にペーパー当接部が形成されているとともに、この当接部には小さな口部が嵌着孔と連通して貫設されていること。そして、スライダを刃体と共に移動させると、刃体の刃先の尖端がペーパー当接部に係止されて口部からわずかに突出すること。従って、この第二実施例のアタッチメントでは、ホルダに対するアタッチメントの取付位置を上下逆にするだけで、前記第一実施例と同様にして載置板部を利用できるばかりではなく、通常のペーパーカッターとしても利用することができ、使用上大変便利になるということが開示されてもいる。
【０００５】
特許文献２として、カッターナイフ本体に取り付けられたピンと、ピンを軸として回転開閉可能な、刃先を覆うためのカバーと、カバーの開閉復元のためにカバーの回転中心部付近に取り付けられた、適度な弾性を維持する弾性部材を有するスライド刃式安全カッターナイフおよび突出固定刃式安全カッターナイフが知られている。
【先行技術文献】
【特許文献】
【０００６】
【特許文献１】特開平７−６４４号公報
【特許文献２】特開２００３−１８１１６２号公報
【発明の開示】
【発明が解決しようとする課題】
【０００７】
内装施工を行う場合、例えば壁紙施工において壁紙の重ね切りをする場合においては、片手に定規を持ち、もう一方の手でカッターナイフを持って、切断位置に定規を位置決めして押え、定規にカッターナイフのカッター刃の刃先を沿わせて切断するのであるが、天井付近においては、脚立に乗って手を伸ばした状態で切断し、上方から切断に合わせて切断の直線性を保ちながら定規を下方にずらしていく。
【０００８】
そして床の例えば幅木近くになると、カッターナイフは上から下へ移動させるのではなく、カッターナイフを１８０度反転させて、下から上、すなわち幅木の端部から上方向にカッターナイフを移動させ、上方向からの切断完了端部に合うように下から上に切断して重ね切りを行うのである。
【０００９】
以上のような切断を行うために、特許文献１に記載されているような載置板部や特許文献１の符号１６及び１７で開示されているガイド部は不要なものであり、シート状物の端部を切断する場合にのみしか使用できないものであった。
【００１０】
特に市販されているカッターナイフにおいては、カッターナイフのカッター刃をスライドさせて切れ味が鈍くなった刃先を折って除去し、新しい刃先で切断することで切れ味を戻していた。そして、カッターナイフのカッター刃が装着されている本体内においては、カッターナイフのカッター刃が装着部にぴたりと沿うような寸法になっておらず、刃先を持って動かすと遊び分だけ刃先がカッターナイフ本体に対して上下にも左右にも遊び分だけは動く構造となっていたのである。そのため、内装施工のように壁や床、さらには天井など、長い距離を定規を使用しながら切断したりする場合も多く、その際には定規に沿って切断し、定規の端部付近まで切断した際には、カッターナイフを一定の力で固定しておき、定規をずらすという作業を行ったりするのであるが、定規をずらす際や上方向からの切断完了端部に合うように下から上に切断する際に、先ほどのカッターナイフのカッター刃のがたつきで同じ位置に刃先を固定することができずに切断線がぶれてしまうことが課題としてあったのである。
【００１１】
また、特許文献１には第二実施例でペーパーカッターとしての機能についても説明がなされているものの、カッターナイフの刃先の突出量の調整が実施できるような構成になっておらず、そしてアタッチメントの幅方向の厚みもかなり厚く構成されている図として開示がなされており、定規に沿わせて切断することが考慮されていないものでもあった。
【００１２】
特許文献２は、カッターナイフ本体に取り付けられたピンと、ピンを軸として回転開閉可能な、刃先を覆うためのカバーと、カバーの開閉復元のためにカバーの回転中心部付近に取り付けられた、適度な弾性を維持する弾性部材を有するスライド刃式安全カッターナイフおよび突出固定刃式安全カッターナイフというものが知られている。特許文献２は、突出した刃先により思わぬ怪我をすることを防ぐものであり、カッターナイフとしては定規に沿わせたりせずに使用をすることが前提となるもので、刃先の突出量の調整などもできず、内装工事において使用できる場面が限られてくるようなものでしかなかった。
【００１３】
そのため、実際の施工においては、定規側面の厚み（５〜１０ｍｍ)を使用して、定規側面にカッターナイフ本体のホルダーが当たらないようにカッター刃の折刃だけが当たるように折刃を２〜４枚分を突出させた状態で切断を行ったりしている。定規側面に添えられたカッター刃は、２〜４枚分を突出させているため定規に沿わせたときに曲り（沿わせる力によるしなり）が生じ、そのために定規側面からカッター刃が外れやすくもなり、カッター刃のしなりの反動により勢いよく定規側面からカッター刃が外れた場合においては、定規上面を押えていた作業者の指を誤って切ってしまうということが発生していたのである。またさらには、定規端面も損傷してしまうということも発生していたのである。
【課題を解決するための手段】
【００１４】
上記の課題を解決するために本発明は、カッターナイフのカッター刃を保持する第１保持部と、カッターナイフのホルダーを保持する第２保持部とを有し、上記第２保持部は、カッターナイフのホルダーに対して位置をスライド可能であって、位置固定のための固定手段を有することを特徴とする。
【００１５】
また、上記第１保持部は、カッター刃保持部とカッター刃突出部から構成され、上記カッター刃突出部はカッター刃の両側に位置し、かつ先端が円弧状であることを特徴とする。
【００１６】
また、カッター刃の両側に位置するカッター突出部の厚みが所定の厚みに設定されていることを特徴とする。
【００１７】
また、カッターナイフのカッター刃を保持する第１保持部と、カッターナイフのホルダーを保持する第２保持部とを有し、上記第２保持部は、カッターナイフのホルダーに対して位置をスライド可能であって、位置固定のための固定手段を有するカッターナイフ用アタッチメントを具備することを特徴とする。
【発明の効果】
【００１８】
本発明により、カッター刃を保持する第１保持部と、カッターナイフのホルダーを保持する第２保持部によってカッターナイフ用アタッチメントをカッターナイフに取り付けることによりカッター刃のがたつきが無い状態に保持することができ、アタッチメントの位置をカッターナイフ本体に対して位置調整することにより、カッター刃の突出量を任意の突出量に設定することができるのである。そのため、カッターナイフで切断作業を行い、定規側を移動させる際において切断線がずれてしまったり、下地を傷つけてしまうことを防ぎ、定規端面の損傷も防止することができるのである。またさらに、カッター刃を多く突出させない状態とするために誤って作業者が指を深く切ってしまうことも防ぐことができるのである。
【００１９】
そしてカッター刃が突出するカッター刃突出部の先端部を円弧状にしていることにより、切断対象物をカッター刃突出部で損傷することも防いだり、カッター刃を出さずに使用することで角ベラ代わりとして、すなわちコーナーや入り隅部分の壁紙を押さえる工具として使えるようにカッター刃突出部を使用することができるのである。
【００２０】
カッター刃の両側に位置するカッター突出部の厚みが所定の厚みに設定されている場合においては、地ベラを当てることで、その地ベラの厚み分の寸法を延長して切断対象物を切断し、その切断端部を隙間に入れ込んだり、角の処理を行って美しく仕上げるなどの施工を行うことを片手に地ベラを持ち、もう一方の手でカッターナイフを持って切断していたのであるが、厚み分の寸法の延長が片手で施工できるようになるのである。
【図面の簡単な説明】
【００２１】
【図１】本発明のカッターナイフに取り付けるアタッチメントを説明する図である。
【図２】本発明のアタッチメントをカッターナイフに取り付けた状態を説明する図である。
【図３】本発明のアタッチメントをカッターナイフに取り付けた状態を説明する平面図であり、図２の平面図である。
【図４】本発明のアタッチメントの別の実施形態を説明する図である。
【図５】本発明のアタッチメントの別の実施形態を説明する図である。（ａ）は本発明のアタッチメントの別の実施形態を説明する正面図であり、（ｂ）は（ａ）の平面図である。
【発明を実施するための最良の形態】
【００２２】
本発明の実施形態について図面を用いて説明する。図１は本発明のカッターナイフ１０に取り付けるアタッチメント１を図示している。図２は本発明のアタッチメント１をカッターナイフ１０に取り付けた状態を図示している。
【００２３】
本発明のアタッチメント１は、カッターナイフ１０のカッター刃１０ａを保持する第１保持部２と、カッターナイフ１０の本体部、すなわちホルダー１０ｃを保持する第２保持部３を有している。
【００２４】
アタッチメント１の第１保持部２は、カッター刃１０ａが挿通されるカッター刃保持部２ａとカッター刃１０ａが突出されるカッター刃突出部２ｂから構成されている。カッター刃保持部２ａはカッター刃１０ａの厚みと刃の高さにがたつきがない寸法でカッター刃１０ａの先端付近四方を囲んで保持するようになっており、カッターナイフ１０のスライダ１０ｂでカッター刃１０ａをスライドさせることは可能としている。
そして、カッター刃突出部２ｂはカッター刃１０ａの両側に位置するように配置され、カッター刃１０ａを両側から同じ形状をしたカッター刃突出部２ｂによって挟み込まれるようにしている。そしてカッター刃突出部２ｂの先端は円弧状の形状としており突出させたカッター刃１０ａを切断対象物に切断のために食い込ませた際に、アタッチメント１で切断対象物の表面を傷めないようにしている。
【００２５】
内装施工に使用されるカッター刃１０ａの厚みは０．２ｍｍ、０．２５ｍｍ、０．３８ｍｍ、０．５ｍｍなど種々の厚みが使用されている。そのため、カッター刃保持部２ａの寸法は、種々のカッター刃１０ａの厚みそれぞれの寸法としておいても良いし、０．５ｍｍの厚みにぴったりとなる寸法として、それよりも薄い厚みのカッター刃１０ａではカッター刃１０ａの両側に位置するカッター刃突出部２ｂで狭持してカッター刃１０ａ保持するという構成のどちらでも実施可能である。
【００２６】
アタッチメント１の第２保持部３はカッターナイフ１０のホルダー１０ｃを保持する寸法の保持部を有しており、ホルダー１０ｃに対してアタッチメント１の位置を固定するための固定ネジ４を設けている。
【００２７】
第２保持部３は、第１保持部２のカッター刃保持部２ａと同様にホルダー１０ｃの四方を囲むように保持するものでも良いし、図２に示したように、略コの字型の保持部として、しっかりとカッターナイフ１０のホルダー１０ｃの上面と下面としてスライダ１０ｂが設けられた側と反対の側の面を保持するような構成としても良い。
そして、カッターナイフ１０のホルダー１０ｃに対してアタッチメント１は位置調整可能であり、刃物突出部２ｂから突出するカッター刃１０ａの刃先量を調整して固定ネジ４で位置がずれないようにアタッチメント１を固定する構成となっている。
【００２８】
図３は図２の平面図である。カッターナイフ１０にアタッチメント１を取り付けて第１保持部２でカッター刃１０を保持し、第２保持部３でカッターナイフ１０のホルダー１０ｃを保持した状態で固定すると、図２、図３に示したようにカッター刃１０ａがホルダー１０ｃ内においてホルダー１０ｃのスライド方向に対して平行で、平面視でカッター刃１０ａが一直線になった状態で保持されるのである。そのため、カッター刃１０ａががたつきなく保持され、内装施工の際に従来注意を払っていた切断線のずれなどが発生を防止して施工を行うことができるのである。
【００２９】
また、上記アタッチメント１は耐食性のあるステンレス金属板を折り曲げ等して製作や、点着で溶接等種々の製作方法にて製作することが可能である。また、第１保持部２は金属製とし、第２保持部３は樹脂製とするような実施形態も可能である。
【００３０】
第１保持部３を金属製としておくと、カッター刃１０ａを両側に位置するカッター刃突出部２ｂは厚みの薄い板で構成できるので、切断対象物を切断する際には定規にカッター刃突出部２ｂを沿わせて切断作業を行うので、カッター刃１０ａが定規に直接接触しない状態にもなり、定規の端面を刃物で傷めるということもなく、また、カッター刃突出部２ｂを薄い板状に構成させるので定規に沿わせることも容易に行うことができるのである。
【００３１】
次に別の実施形態について説明する。
上記で説明した実施形態においては、カッター刃突出部２ｂは薄い板状であるものを説明したが、本実施形態においては、アタッチメント１１をカッターナイフ１０に取り付けた際には、カッター刃１０ａの刃とカッター刃突出部１２ｂあるいはカッター刃突出部１２ｃが平面視のカッター１０ａに接触する側の面とは反対側の面との距離が所定の距離になるように構成されている。
【００３２】
図４は、本発明の別の実施形態の平面図である。第２保持部３は、図１から図３と同様にカッターナイフ１０のホルダー１０ｃを保持して、位置調整可能な固定ネジ４を有している。
【００３３】
第１保持部１２のカッター刃保持部１２ａは図１から図３と同様に、カッター刃１０ａの厚みと刃の高さにがたつきがない寸法でカッター刃１０ａの先端付近四方を囲んで保持するようになっており、カッターナイフ１０のスライダ１０ｂでカッター刃１０ａをスライドさせることは可能としている。
【００３４】
カッター刃突出部１２ｂはカッター刃１０ａの刃先とカッター１０ａに接触する側の面とは反対側の面との距離が寸法Ｘ１になるように構成されている。そして、カッター刃突出部１２ｃはカッター刃１０ａの刃先とカッター１０ａに接触する側の面とは反対側の面との距離が寸法Ｘ２になるように構成されている。
【００３５】
寸法Ｘ１と寸法Ｘ２は同じ寸法に構成することも可能であり、異なる寸法に構成することもできる。例えば、ガラスフィルムの切断を行うようにするには、寸法Ｘ１と寸法Ｘ２をそれぞれ２ｍｍになるようにカッター刃突出部１２ｂとカッター刃突出部１２ｃの厚みとしておく。そうすると、カッター刃突出部１２ｂとカッター刃突出部１２ｃの面をガイドにガラスフィルムの切断を行うことで、定規を使用することなく、片手でガラスフィルムの切断を行うことが可能となる。壁紙のコーナー部分の切断を行うには、寸法Ｘ１と寸法Ｘ２をそれぞれ１．２ｍｍになるようにカッター刃突出部１２ｂとカッター刃突出部１２ｃの厚みとしておく。
【００３６】
上記説明したように、カッター刃突出部１２ｂとカッター刃突出部１２ｃの厚みによって種々の切断が定規を当てることなく片手で行えるようにすることも可能となるのである。もちろん、上記で説明した２ｍｍや１．２ｍｍ以外の寸法とすることも可能であることはいうまでもない。
【００３７】
また、先に説明した図１〜図３の実施形態のアタッチメント１に図示しないリング状の別体を嵌めこむことで図４に示した実施形態と同様の所定の寸法になるような実施形態とすることも可能である。別体のリング状のものの厚みを複数容易すれば、施工場所によってその別体のリング状のものを取り替えて種々の寸法として切断するというような使い方も可能となる。
【００３８】
図５はさらに別の実施形態について説明する図である。図５で開示する本発明のアタッチメント２１を適用するカッターナイフ２０は、樹脂の持ち手部分がなく、金属のホルダー２０ｃで本体が構成されたもので説明するが、先に説明したカッターナイフ１０のように樹脂で製作された持ち手部分を有するものにも適用可能である。
【００３９】
カッターナイフ２０は、カッター刃２０ａとカッター刃２０ａをスライドさせるスライダ２０ｂがホルダー２０ｃに設けられている。
第１保持部２２は、カッター刃保持部２２ａとカッター刃突出部２２ｂ、２２ｃとで構成されており、第１保持部２２と第２保持部２３を保持連結部２２ｄと保持連結部２２ｅで連結している。
【００４０】
この保持連結部２２ｄと保持連結部２２ｅは、図５（ｂ）の平面図に示すように、カッター刃２０ａを中心に対称に構成されている。このように保持連結部２２ｄと保持連結部２２ｅを対称な構成とすることにより、右利きか左利きという利き手に関係なく、使用できるような構成としている。
【００４１】
すなわち、保持連結部２２ｄ又は保持連結部２２ｅを定規（図示せず）に載置してカッター突出部２２ｂ又はカッター突出部２２ｃを定規（図示せず）の側面に沿わせることで
２０の切断するときの角度を一定にした状態で切断が行えるのである。そして、保持連結部２２ｄ又は保持連結部２２ｅを図５（ｂ）のように平面視で対称としているので、左手持ちと右手持ちとするときの目安もほぼ同じとすることができるのである。
【符号の説明】
【００４２】
１    アタッチメント
２    第１保持部
２ａ  カッター刃保持部
２ｂ  カッター刃突出部
３    第２保持部
４    固定ネジ
１０    カッターナイフ
１０ａ  カッター刃
１０ｂ  スライダ
１０ｃ  ホルダー
１１    アタッチメント
１２    第１保持部
１２ａ  カッター刃保持部
１２ｂ  カッター刃突出部
１２ｃ  カッター刃突出部
２０    カッターナイフ
２０ａ  カッター刃
２０ｂ  スライダ
２０ｃ  ホルダー
２１    アタッチメント
２２    第１保持部
２２ａ  カッター刃保持部  
２２ｂ  カッター刃突出部
２２ｃ  カッター刃突出部
２２ｄ  保持部連結部
２２ｅ  保持部連結部
２３    第２保持部
【図１】
2019097626.tif 000003
【図２】
2019097626.tif 000004
【図３】
2019097626.tif 000005
【図４】
2019097626.tif 000006
【図５】
2019097626.tif 000007